(57)【特許請求の範囲】
【請求項１】
複数のデータ信号線と複数の走査信号線の交差に対応して設けられた複数の画素に対して液晶層と電気的に接続された第１のスイッチング手段を配置してなり、前記液晶層に印加される電圧の極性を所定期間毎に反転させて駆動する液晶装置において、
前記複数の走査信号線の少なくとも１本を選択する走査信号を、前記複数の走査信号線に供給する走査側駆動手段と、
前記複数のデータ信号線の各々にデータ信号を供給し、かつ、隣り合う前記データ信号線には所定の基準電位に対して互いに逆極性のデータ信号を供給するデータ側駆動手段と、
各々の前記データ信号線に前記データ信号を供給する前に、互いに逆極性の前記データ信号が供給された前記データ信号線同士をショートさせる複数の第２のスイッチング手段と、
前記複数の第２のスイッチング手段によりショートされた前記データ信号線に、所定のプリチャージ電位を供給するプリチャージ電位供給手段と、
各々の前記データ信号線にそれぞれ接続され、前記データ信号をサンプリング期間にわたってサンプリングして前記データ信号線に供給する複数のサンプリング用スイッチング手段と、を有し、
前記複数のサンプリング用スイッチング手段は、それぞれｎ型トランジスタにより形成され、
前記プリチャージ電位を、前記データ信号線に印加される電圧振幅の中間電位よりも低い電位に設定したことを特徴とする液晶装置。
【請求項２】
複数のデータ信号線と複数の走査信号線の交差に対応して設けられた複数の画素に対して液晶層と電気的に接続された第１のスイッチング手段を配置してなり、前記液晶層に印加される電圧の極性を所定期間毎に反転させて駆動する液晶装置において、
前記複数の走査信号線の少なくとも１本を選択する走査信号を、前記複数の走査信号線に供給する走査側駆動手段と、
前記複数のデータ信号線の各々にデータ信号を供給し、かつ、隣り合う前記データ信号線には所定の基準電位に対して互いに逆極性のデータ信号を供給するデータ側駆動手段と、
各々の前記データ信号線に前記データ信号を供給する前に、互いに逆極性の前記データ信号が供給された前記データ信号線同士をショートさせる複数の第２のスイッチング手段と、
前記複数の第２のスイッチング手段によりショートされた前記データ信号線に、所定のプリチャージ電位を供給するプリチャージ電位供給手段と、
各々の前記データ信号線にそれぞれ接続され、前記データ信号をサンプリング期間にわたってサンプリングして前記データ信号線に供給する複数のサンプリング用スイッチング手段と、を有し、
前記複数のサンプリング用スイッチング手段は、それぞれｐ型トランジスタにより形成され、
前記プリチャージ電位を、前記データ信号線に印加される電圧振幅の中間電位よりも高い電位に設定したことを特徴とする液晶装置。
【請求項３】
請求項１または２において、
前記プリチャージ電位供給手段は、一端が前記複数の第２のスイッチング手段と接続され、他端がプリチャージ電位供給端子と接続されたプリチャージ電位供給線を有し、
各々の前記第２のスイッチング手段は、前記複数のデータ信号線と、前記プリチャージ電位供給線との間にそれぞれ設けられていることを特徴とする液晶装置。
【請求項４】
請求項１または２において、
各々の前記第２のスイッチング手段は、互いに逆極性の前記データ信号が供給された前記データ信号線間に設けられていることを特徴とする液晶装置。
【請求項５】
光源と、光源から出射された光を変調する請求項１乃至４のいずれかに記載の液晶装置と、該液晶装置により変調された光を投写する投写光学手段と、を有することを特徴とする投写型表示装置。
【請求項６】
請求項１乃至４のいずれかに記載の液晶装置を有することを特徴とする電子機器。
【請求項７】
複数のデータ信号線と複数の走査信号線の交差に対応して設けられた複数の画素に対して液晶層と電気的に接続された第１のスイッチング手段を配置してなり、前記液晶層に印加される電圧の極性を所定期間毎に反転させて駆動する液晶装置において、
前記複数の走査信号線の少なくとも１本を選択する走査信号を、前記複数の走査信号線に供給し、
前記複数のデータ信号線の各々にデータ信号を供給し、
前記複数のデータ信号線の各々に前記データ信号を供給する前に、互いに逆極性の前記データ信号が供給された前記データ信号線同士をショートさせ、
前記データ信号は、ｎ型トランジスタから成るサンプリング用スイッチング手段を介して前記データ信号線に供給され、
前記複数のデータ信号線の各々に前記データ信号を供給する前のプリチャージ期間に、前記データ信号線の各々に対してプリチャージ電位を供給し、前記プリチャージ電位を、前記データ信号線に印加される電圧振幅の中間値よりも低く設定したことを特徴とする液晶装置の駆動方法。
【請求項８】
複数のデータ信号線と複数の走査信号線の交差に対応して設けられた複数の画素に対して液晶層と電気的に接続された第１のスイッチング手段を配置してなり、前記液晶層に印加される電圧の極性を所定期間毎に反転させて駆動する液晶装置において、
前記複数の走査信号線の少なくとも１本を選択する走査信号を、前記複数の走査信号線に供給し、
前記複数のデータ信号線の各々にデータ信号を供給し、
前記複数のデータ信号線の各々に前記データ信号を供給する前に、互いに逆極性の前記データ信号が供給された前記データ信号線同士をショートさせ、
前記データ信号は、ｐ型トランジスタから成るサンプリング用スイッチング手段を介して前記データ信号線に供給され、
前記複数のデータ信号線の各々に前記データ信号を供給する前のプリチャージ期間に、前記データ信号線の各々に対してプリチャージ電位を供給し、前記プリチャージ電位を、前記データ信号線に印加される電圧振幅の中間値よりも高く設定したことを特徴とする液晶装置の駆動方法。
【発明の詳細な説明】
【０００１】
【発明の属する技術分野】
本発明は、液晶装置及びその駆動方法、並びにそれを用いた投写型表示装置及び電子機器に関する。
【０００２】
【背景技術】
例えば、アクティブマトリクス型の液晶装置では、一走査信号線に複数接続されたＴＦＴ（薄膜トランジスタ）等のスイッチング素子を介して、各画素の液晶層にデータを書き込む動作を点順次駆動により実施している。
【０００３】
また、液晶にかかる電圧の偏りによる表示むらをなくし、液晶にかかる直流電流による液晶の劣化などを防ぐために、液晶に印加される電圧の極性を所定のタイミングで反転させる極性反転駆動が行われている。
【０００４】
極性反転駆動とは、液晶の一端に、液晶の他端に印加される電位を基準として異なる極性（正または負の極性）の電圧を印加する駆動である。尚、本明細書における「極性」とは、液晶の両端に印加される電圧の極性を意味する。極性反転駆動するには、アクティブマトリクス型では、液晶を挟んで画素電極と対向する共通電極に印加する電位を変化させるか、あるいは、画素電極に印加される画像データ信号の電圧振幅の中間電位を基準として画像データ信号の電位レベルを変化させている。
【０００５】
ここで、前記極性反転においては、走査信号線を選択するごとに極性反転を行ういわゆるライン毎の反転、あるいはこれに、一走査信号線に接続された画素毎に極性反転を行ういわゆるドット毎の反転を組み合わせた極性反転駆動方式が知られている。
【０００６】
図１３、図１４に、極性反転駆動方式について説明するための模式図を示す。従来のアクティブマトリクス型の液晶装置では、点順次駆動でかつ画素毎（ライン毎も含む）の極性反転駆動方式を採用し、また、データ信号線のプリチャージは直前のブランキング期間に一括して行う方式を採用している。
【０００７】
図１３、図１４において、Ｓ１〜Ｓ４はデータ信号線を示し、Ｈ１〜Ｈ４は走査信号線を示している。各画素の「＋」，「−」は、該画素の液晶に印加される電圧およびその直前にデータ信号線に供給されるプリチャージ電位の極性を示している。図１３はＮフィールドでの各画素の電圧極性を、図１４はＮ＋１フィールドでの各画素の電圧極性を示している。画素毎及びライン毎の極性反転駆動においては、同一データ信号線と接続された隣合う画素毎（図１３，図１４で縦方向にて隣接する画素毎）に、異なる極性にて電圧が印加されるようになっている。
【０００８】
この場合、同一データ信号線に接続され、かつ、異なる走査信号線に接続された隣り合う２つの画素に、表示上で例えば同じ黒データを書き込む場合でも、極性反転駆動のために各々の黒データの信号レベルは異なっている。このとき、データ信号線自体が寄生容量を持つため、データ信号線の電位を、正極性側の黒レベル電位から負極性側の黒レベル電位に変化させるのに時間を要する。
【０００９】
図１５、図１６を参照して、同一のデータ信号線に接続された隣り合う２つの画素に、それぞれ同じ黒を書き込む動作を場合のデータ信号線の電位の変化について説明する。
【００１０】
図１５において、Ｃ１０はデータ信号線Ｓ１に寄生する容量（つまり、データ信号線Ｓ１の等価容量）を示す。また、図１５の左側に記載の「−」，「＋」は、画素２２，２４に書き込まれる電圧の極性を示している。なお、画素２２，２４は共に「黒」を表示するものとする。画素はスイッチング素子を介してデータ信号が供給される蓄積容量及び画素電極と、画素電極と共通電極の間で電圧印加される液晶層とからなる。
【００１１】
図１６に示すように、水平走査期間Ｔ１において、画素２２の一端に黒レベル電位Ｂ１を印加して黒表示し、次の水平走査期間Ｔ２において、画素２４の一端に黒レベル電位Ｂ２を印加して同様に黒表示する。この場合、画素２２，２４の他端には、各黒レベル電位Ｂ１，Ｂ２間に設定された共通電位が印加されているため、画素２２には負極性の電圧が印加され、画素２４には正極性の電圧が印加され、同じ黒表示でも液晶への印加電圧の極性が反転されている。しかも、上記のようなノーマリホワイトの表示では、それぞれの黒レベル電位Ｂ１とＢ２との電位差が、他の階調表示の場合と比較して最も大きくなる。よって、プリチャージを行わなければ、画像データ信号自体によってデータ信号線Ｓ１の寄生容量Ｃ１０を充電（あるいは放電）して、図中「Ｒ１」で示すようにデータ信号線の電位を黒レベル電位Ｂ１からＢ２へと変化させなければならない。
【００１２】
これに対し、データ信号の供給に先立ち、データ信号の極性と同じ極性のプリチャージを行っておけば、つまり、水平走査期間Ｔ２の前にプリチャージを行ってデータ信号線Ｓ１を高電位の第２のプリチャージ電位ＰＶ２に保持しておけば、図中「Ｒ２」で示すように、データ信号線の電位を第２のプリチャージ電位ＰＶ２から黒レベル電位Ｂ２へと変化させるだけで良く、データ信号線Ｓ１の寄生容量Ｃ１０の充電（放電）の量が小さくて良い。ゆえに、液晶の駆動が高速化される。
【００１３】
ところで、従来の液晶装置においては、黒レベル電位Ｂ１，Ｂ２をそれぞれ１Ｖ，１１Ｖとし、白レベル電位Ｗ１，Ｗ２をそれぞれ５Ｖ，７Ｖとし、プリチャージ電位ＰＶ１，ＰＶ２をそれぞれ４Ｖ，８Ｖに設定していた。すなわち、プリチャージ電位ＰＶ１，ＰＶ２は、ビデオ振幅である黒レベル電位Ｂ１，Ｂ２間の中心電位（６Ｖ）に対して対称に設定していた。
【００１４】
この４Ｖ，８Ｖは、中間調表示レベルの時に液晶の一端にスイッチング素子を介して印加される電圧であり、液晶印加電圧（Ｖ）と液晶装置の透過率（Ｔ）との関係を示すＴ−Ｖカーブが最も急峻となる時の電位レベルに相当している。換言すれば、この４Ｖ，８Ｖは、液晶への印加電圧の変化に対する透過率変化が最も大きい時の電位レベルに相当している。プリチャージ電位ＰＶ１，ＰＶ２をこのように設定すると、プリチャージ電位から中間調表示のための電位になるまでデータ信号線を短時間で充放電でき、サンプリング期間が短くなっても正確な中間調表示が可能となる。
【００１５】
【発明が解決しようとする課題】
本願発明者が検討した液晶装置の駆動方法について、液晶装置のプリチャージ回路部及び液晶パネル部を局部的に表わした図１７を使用して説明する。
【００１６】
この液晶装置においては、前述した理由によりプリチャージ動作を行うために、第１／第２のプリチャージ電源供給ライン１７４ａ，１７４ｂが設けられている。第１／第２のプリチャージ電源供給ライン１７４ａ，１７４ｂは、プリチャージ電源切り換えスイッチ１９０を介して、第１のプリチャージ電圧ＰＶ１（例えば４Ｖ）を供給する第１のプリチャージ電源と、第２のプリチャージ電圧ＰＶ２（例えば８Ｖ）を供給する第２のプリチャージ電源と接続されている。
【００１７】
プリチャージ電源切り換えスイッチ１９０は水平走査毎に切り換えられる。また、プリチャージ駆動回路１７０からのプリチャージ信号ＰＣに基づいて、全てのプリチャージスイッチ１７２が一括してオン状態とされ、全てのデータ信号ライン１１２に対して電圧ＰＶ１またはＰＶ２のプリチャージが行われる。
【００１８】
このプリチャージ動作においては、データ信号ライン１１２の電位がプリチャージ電位（ＰＶ１またはＰＶ２）に達するまでに時間を要していた。すなわち、プリチャージ動作を行う電流パスにおいて、寄生容量，寄生抵抗が負荷として形成されてしまうため、データ信号ライン１１２のプリチャージを行うのに時間を費やしていた。以下、その理由について説明する。
【００１９】
本願発明者は、本願発明の検討に先立って、プリチャージスイッチ１７２に着目し、このプリチャージスイッチ１７２のソースにおける電位変化について考察を行った。図１７において、一例として、プリチャージスイッチＱnに着目し、ノードａにおける電位変化を模式的に表わす概略図を図１８に示す。
【００２０】
ここで、本実施の形態の液晶装置においては、図１３または図１４に示すような極性反転駆動が行われている。
【００２１】
図１７においては、例えば、共通のデータ信号ラインＳnと接続されている画素Ａ(m-1,n)が正極性駆動で黒表示が行われており，画素Ａ(m,n)が負極性駆動で黒表示が行われるものとして説明する。
【００２２】
走査信号ラインＨm-1と接続されたすべての画素へ各画素データを供給した後、図１８に示すｍ番目のプリチャージ信号ＰＣによりプリチャージスイッチＱnがオンされる前に、プリチャージ電源切り換えスイッチ１９０が切り換えられる。そして、第１のプリチャージ電源供給ライン１７４ａへ第１のプリチャージ電圧ＰＶ１（４Ｖ）を、２のプリチャージ電源供給ライン１７４ｂへ第２のプリチャージ電圧ＰＶ２（８Ｖ）をそれぞれ供給する。
【００２３】
図１７における前記プリチャージスイッチＱnは、第１のプリチャージ電源供給ライン１７４ａと接続されているため、図１８における時間ｔ１のタイミングでのプリチャージ電源切り換えスイッチ１９０の切り換えにより、第１のプリチャージ電源供給ライン１７４ａに第１のプリチャージ電位ＰＶ１（４Ｖ）が供給される。
【００２４】
一方、時間ｔ１以前には、ｍ−１番目の水平走査期間にて、第１のプリチャージ電源供給ライン１７４ａは、第２のプリチャージ電位ＰＶ２（８Ｖ）にチャージされていた。このため、プリチャージ電源切り換えスイッチ１９０の切り換えにより、第２のプリチャージ電位ＰＶ２（８Ｖ）にチャージされていたノードａの電位が徐々に放電されて下降し、第１のプリチャージ電位ＰＶ１（４Ｖ）に到達する（図１８参照）。
【００２５】
そして、時間ｔ２のタイミングで、プリチャージ駆動回路１７０にて生成されたプリチャージ信号ＰＣが全てのプリチャージスイッチ１７２に同時に供給される。よって、プリチャージスイッチ１７２がすべてオン状態とされるので、プリチャージスイッチＱnのデータ信号ライン側における電位（ＰＶ１＝４Ｖ）と、プリチャージ電源供給ライン１７４ａ側における電位（例えば黒表示のデータ電位１１Ｖ）とが競合してしまう。従って、プリチャージスイッチＱnを介して、データ信号ライン側からプリチャージ電源供給ライン側に向かって電流が流れ、ノードａの電位が一時的に（時間ｔ２からｔ３の間）電圧β分上昇する。
【００２６】
この電圧βは、データ信号ラインＳnがチャージされていた電位（１１Ｖ）と、ノードａの電位である第１のプリチャージ電位ＰＶ１（４Ｖ）との差電圧である。
【００２７】
そして、ノードａにおいては、プリチャージスイッチＱnにおけるラインＳ及びこれが接続されたプリチャージ電源供給ライン１７４ａの有する寄生容量，寄生抵抗に基づく時定数に基づいて電圧βを時間をかけて放電して、時間ｔ３の時点で第１のプリチャージ電位ＰＶ１（４Ｖ）に到達する。
【００２８】
図１８における期間αは、前述したデータの競合による電位の上昇期間及びプリチャージスイッチＱnにおけるソースラインＳ及びそれと接続された前記第１のプリチャージ電源供給ライン１７４ａによる放電時間を含む。ここで、プリチャージスイッチ１７２全てが同時にオン状態となるため、プリチャージ電源供給ライン１７４ａ及びそれに接続されたラインの寄生容量，寄生抵抗が負荷となり、それに基づき充放電の時定数もかなり大きくなる。従って、この期間αも比較的長くなる。
【００２９】
ここで、図１８に示すように、期間αがプリチャージ期間より長くなると、ノードａにおける電位が第１のプリチャージ電位ＰＶ１（４Ｖ）になる前に、プリチャージスイッチＱnがオフ状態となってしまう。ゆえに、液晶装置におけるプリチャージスイッチを高速スイッチングさせることが難しく、プリチャージに時間がかかってしまう。また、高速スイッチングを実行すれば、プリチャージ期間中に所望のプリチャージ電位に到達させることができない。結果としてデータサンプリングが遅くなり、データ転送の高速化に限界が生じ、画質の信頼性も低下してしまう。
【００３０】
本発明の目的は、液晶装置におけるプリチャージ電圧の供給経路における寄生容量，寄生抵抗等の負荷の低減によるプリチャージ動作の高速化にある。また、本発明の目的は、各画素へのデータ転送を高速化させても、データの書き込み不良を抑え、画質を向上することができる液晶装置及びその駆動方法、並びにそれを用いた投写型表示装置及び電子機器を提供することにある。
【００３１】
【課題を解決するための手段】
請求項１の発明は、複数のデータ信号線と複数の走査信号線の交差により形成される複数の画素の各々に、液晶層に電気的に接続された第１のスイッチング手段を配置して成り、前記液晶層に印加される電圧の極性を所定期間毎に反転させて駆動する液晶装置において、
前記複数の走査信号線の少なくとも１本を選択する走査信号を、前記複数の走査信号線に供給する走査側駆動手段と、
前記複数のデータ信号線の各々にデータ信号を供給し、かつ、隣り合う前記データ信号線には所定の基準電位に対して互いに逆極性のデータ信号を供給するデータ側駆動手段と、
各々の前記データ信号線に前記データ信号を供給する前に、互いに逆極性の前記データ信号が供給された前記データ信号線同士をショートさせる複数の第２のスイッチング手段と、
を有することを特徴とする。また、請求項１２の発明は、その液晶装置の駆動方法を定義している。
【００３２】
本発明の液晶装置及びその駆動方法によれば、画素単位あるいはデータ信号線単位の極性反転駆動の結果、隣接するデータ信号線の電圧の極性が異なることを利用して、データ信号線を速やかにプリチャージしている。すなわち、互いに異なる極性のデータ信号が供給され、反対極性にあるデータ信号線同士、特には隣り合うデータ信号線同士をショートすることによって、各データ信号線はそれら電位差をなくすように充放電され、その中間電位に向けて収束する。この収束した電位をプリチャージ電位としている。このプリチャージの際の負荷は、データ信号線間の短絡経路の負荷のみとなり、寄生抵抗、寄生容量が少なくなるため、高速でプリチャージすることが可能となる。
【００３３】
また、請求項２に示すように、ショートされたデータ信号線に、所定のプリチャージ電位を供給するプリチャージ電位供給手段をさらに設けることができる。
【００３４】
こうすると、プリチャージ期間内にて、全データ信号線を一定のプリチャージ電位に設定できる。
【００３５】
請求項３に示すように、このプリチャージ電位供給手段は、一端が複数の第２のスイッチング手段と接続され、他端がプリチャージ電位供給端子と接続されたプリチャージ電位供給線とすることができる。
【００３６】
この場合、請求項３に示すように、各々の第２のスイッチング手段は、複数のデータ信号線と、プリチャージ電位供給線との間にそれぞれ設けられる。この第２のスイッチング手段は、互いに逆極性のデータ信号が供給された例えば隣り合うデータ信号線間をショートさせる機能と、ショートされたデータ信号線にプリチャージ電位を供給する機能とを有する。
【００３７】
第２のスイッチング手段は、請求項４に示すように、隣り合うデータ信号線間に設けるのが、最も短絡経路が短くなる。
【００３８】
請求項５に示すように、互いに逆極性のデータ信号が供給されたデータ信号線間に設けられた第２のスイッチング手段に加えて、複数のデータ信号線とプリチャージ電位供給線との間に第３のスイッチング手段をさらに設けることもできる。
【００３９】
この場合、第２のスイッチング手段は主として異なる極性の電位にあるデータ信号間での充放電のための短絡経路の形成に寄与し、第３のスイッチング手段は主としてデータ信号線へのプリチャージ電位の供給経路を形成するのに寄与する。
【００４０】
これのら場合のプリチャージ電位としては、請求項６，１３に示すように、データ信号線に印加される電圧振幅の略中間の電位とされることが好ましい。
【００４１】
この電圧振幅の略中間電位は、異なる極性の電位にあるデータ信号線のプリチャージ前の各電位の間の電位にて、ショート時に収束する電位として好ましい。電圧振幅の略中間値であるプリチャージ電位から、その電圧振幅の最大または最小電位までデータ信号線を充放電させる時間がほぼ均等となる。
【００４２】
請求項７，１４に示すように、データ信号線にデータ信号を供給する複数のサンプリング用スイッチング手段がｎ型トランジスタにより形成される場合には、プリチャージ電位を、データ信号線に印加される電圧振幅の中間電位よりも低い電位に設定することが好ましい。データ信号線に重畳するサンプリングリノイズは、データ信号線を放電させる際の障害となることを考慮したものである。
【００４３】
請求項８，１５に示すように、複数のサンプリング用スイッチング手段がｐ型トランジスタにより形成される場合には、プリチャージ電位を、データ信号線に印加される電圧振幅の中間電位よりも高い電位に設定することが好ましい。データ信号線に重畳するサンプリングリノイズは、データ信号線を充電させる際の障害となることを考慮したものである。
【００４４】
プリチャージ電位としては、請求項９，１６に示すように設定しても良い。すなわち、プリチャージ電位を、複数の画素電極と液晶層を挟んで対向する共通電極に印加される電圧と略等しい値とすることもできる。この共通電極に印加される電位は、電圧振幅の中間値に近い電位であり、しかも共通電極に印加される電位をプリチャージ電位として共用できる。
【００４５】
【発明の実施の形態】
以下、本発明をアクティブマトリクス型液晶装置に適用した実施の形態を具体的に説明する。
【００４６】
＜実施の形態１＞
（装置の概略構成）
図１に、実施の形態１に係る液晶装置の全体概要が示されている。同図に示すように、この液晶装置は、電子機器例えば液晶プロジェクタのライトバルブとして用いる小型液晶装置であり、液晶パネルブロック１０と、タイミング回路ブロック２０と、データ処理ブロック３０とに大別される。
【００４７】
タイミング回路ブロック２０は、クロック信号ＣＬＫと水平同期信号ＳＹＮＣとが入力され、走査信号、サンプリング信号、プリフャージ信号ＰＣなど、所定のタイミング信号を出力するものである。
【００４８】
データ処理回路ブロック３０は、液晶表示に適するようにデータの増幅，反転等によりデータを処理する回路ブロックである。なお、このデータ処理ブロック３０において、各画素に対応するデータ信号を、極性反転基準電位を基準として一画素ごとに極性反転している。また、このデータ信号は、垂直走査期間毎（フィールド毎あるいはフレーム毎）でも反転される。
【００４９】
液晶パネルブロック１０は、一対の基板間に液晶が封入され、一方の基板上に画素領域１００と、走査側駆動回路１０２と、データ側駆動回路１０４とを備え、これと対向する他方の基板上に共通電極を備えて構成される。一対の液晶パネル基板の外側には偏光板が配置される。なお、これらの駆動回路は、液晶パネル基板とは分離して、外付けＩＣとして構成しても良い。
【００５０】
画素領域１００上には、例えば、図１の行方向に沿って延びる複数の走査信号線１１０と、例えば、列方向に沿って延びる複数のデータ信号線１１２とが形成されている。なお、本実施の形態では、走査信号線１１０の総数を４９２本とし、データ信号線１１２の総数を６５２本として説明するが、前記走査信号線およびデータ信号線の本数は特に限定されない。
【００５１】
この各走査信号線１１０，データ信号線１１２が交差する各位置には、スイッチング素子１１４と画素１２０とが直列に接続されて表示要素が構成されている。各画素１２０は、一方の基板上に共に形成される、スイッチング素子１１４と接続される画素電極、及び各画素電極と隣接する走査信号線や容量線との間に形成される蓄積容量１１７と、対向する他方の基板上に形成される共通電極と、両電極の間に挟持される液晶層１１６とから構成される。
【００５２】
各画素１２０のスイッチング素子１１４がオンする期間を選択期間と称し、オフする期間を非選択期間と称する。選択期間にスイッチング素子１１４を介して画素１２０に供給された電圧を、非選択期間にて蓄積する蓄積容量１１７が画素１２０に接続されている。
【００５３】
本実施の形態では、スイッチング素子１１４を、例えば、３端子型スイッチング素子としており、例えばＴＦＴ（薄膜トランジスタ）にて構成している。これに限らず、他の３端子型スイッチング素子であるＭＯＳトランジスタ、あるいは２端子型スイッチング素子例えば、ＭＩＭ（金属−絶縁−金属）素子、ＭＩＳ（金属−絶縁−半導体）素子などを用いることができる。なお、本実施の形態の画素領域１００は、２端子型または３端子型のスイッチングを用いたアクティブマトリクス型の液晶表示パネルに限らず、単純マトリクス型の液晶表示パネルなど、他の種々の液晶パネルであってもよい。
【００５４】
走査側駆動回路１０２は、複数の走査信号線１１０の中から少なくとも１本の走査信号線１１０を順次選択するための選択期間が設定された走査信号を出力するものである。
【００５５】
データ側駆動回路１０４は、データ処理回路ブロック３０の出力線である例えば１本の信号ラインと、画素領域１００のデータ信号線１１２ａ，１１２ｂ，・・・との間にそれぞれ配置されたサンプリングスイッチ１０６に対して、画素領域１００を点順次駆動するためのサンプリング信号を出力するものである。なお、データ処理回路ブロック３０が、公知の相展開回路を有する場合には、データ出力回路ブロック３０からの画像信号の出力線は、その相展開数と同じ本数の出力線となる。ここで、相展開回路とは、シリアルデータとしての画像データ信号を、基準クロックに基づいて設定されたサンプリング期間に従ってサンプルホールドし、かつ、一定の画素毎に前記シリアルデータを展開して、データ処理回路ブロック３０からの１データ出力期間が基準クロックの整数倍に変換された複数のデータ信号をパラレル出力するものである。
【００５６】
隣り合うデータ信号線間をショートさせるスイッチとして兼用されるプリチャージスイッチ１７２ａ，１７２ｂ，・・・は、プリチャージ信号ＰＣに基づいて所定のタイミングにてオンし、１本のプリチャージ電源供給ライン１７４を、各データ信号ライン１１２ａ，１１２ｂ・・・に接続するものである。この結果、隣り合うデータ信号ライン間はショートされる。このプリチャージ電源供給ライン１７４には、１種類のプリチャージ電圧ＰＶ（例えば６Ｖ）が供給される。
【００５７】
本実施の形態では、極性反転駆動を実施することから、例えば奇数番目のデータ信号ライン１７２ａ，１７２ｃ，・・・と接続された各画素と、偶数番目のデータ信号ライン１７２ｂ，１７２ｄ，・・・と接続された各画素とにチャージされた電圧の極性が異なっている。そして、偶数番目及び奇数番目のデータ信号ライン１７２ａ，１７２ｂ，・・・は、プリチャージ時に１本のプリチャージ電源供給用ライン１７４に接続され、同一のプリチャージ電位ＰＶ（６Ｖ）が供給されている。なお、このプリチャージ動作の詳細については後述する。
【００５８】
本実施の形態では、走査信号線の延びる方向での１画素ごとに極性反転駆動し、かつ、データ信号線の延びる方向で１ラインごと（一走査信号線毎）に極性反転駆動しており、これに合うように極性反転タイミングが定められている。すなわち、各データ信号線と各画素へ印加するプリチャージ電位とデータ信号の極性は、走査信号線毎あるいは画素毎、だけでなく垂直走査期間毎でも反転されている。なお、プリチャージが必要な場合とは、少なくとも１ラインごとに極性反転駆動している場合であり、１画素毎の極性反転に限定されるものではない。
【００５９】
そして、クロックＣＬＫ，同期信号ＳＹＮＣに基づいて形成されたシフトスタート信号がデータ側駆動回路１０４のシフトレジスタに入力され、データ側駆動回路１０４はサンプリング信号を生成する。このサンプリング信号に基づいて、順にサンプリングスイッチ１０６ａ〜１０６ｇがオンされることにより、データ信号のサンプリングが行われている。
【００６０】
（プリチャージの全体動作）
図２に本実施の形態１の液晶装置におけるプリチャージ回路部と液晶パネル部１００を局部的に表わした模式図を示す。図３は、図１におけるすべてのサンプリングスイッチ１０６及びスイッチング素子１１４がｎ型トランジスタにて形成されていた場合の、本発明の液晶装置のタイミングチャートである。ここで図３は、図２に示される画素Ａ（ｍ−１，ｎ）の画素と画素Ａ（ｍ，ｎ）の画素にて、共に黒表示し、そのときのデータ信号線における電位の変化を説明するものである。
【００６１】
ｍ−１番目の水平同期信号ＳＹＮＣが入力されることによって、水平走査信号（ｍ−１）がハイになる。このため、走査信号線Ｈm-1に接続された全てのスイッチング素子１１４がオンする。この後、プリチャージ信号ＰＣがハイとなり、全てのプリチャージスイッチ１７２がオンされる。隣り合うデータ信号ラインペアが、プリチャージ電源供給ライン１７４を介してショートされる。
【００６２】
前述したように、本実施の形態１の液晶装置は極性反転駆動を行っているため、このとき、ショートされたデータ信号ラインペア上のそれぞれの電位は、互いにその電位差を打ち消しあうように充電または放電を行う。
【００６３】
図４は、図３に示すノードａにおける電位変化を示している。ノードａの電位は、プリチャージ信号ＰＣがハイとなる前は、プリチャージ電位ＰＣ（６Ｖ）で一定である。プリチャージ信号ＰＣがハイになると、隣り合うデータ信号ラインペアで充放電が行われ、ついにはプリチャージ電位ＰＶ（６Ｖ）におちつく。
【００６４】
さらに詳しくは、高電位側のデータ信号ラインＳnにおける電位は徐々に低下し、逆に、低電位側のデータ信号ラインＳn-1は徐々に上昇し、それらの電位差を打ち消すように電位変化が起こり、それらの略中間電位に向けて収束しようとする。
【００６５】
このように、隣り合うデータ信号ラインペアにおいては、一方が正極性側，他方が負極性側の電位にチャージされているために、隣り合うデータ信号ラインペアのみで充電または放電が速やかに行われる。従って、図４にて充放電される電圧の波高β１は、図１８にて充放電される電圧の波高βよりも低くなる場合が多い。しかも、本実施の形態では、隣り合うデータ信号ラインペアをショートするので、最短の経路でプリチャージを行うことが可能となる。このため、プリチャージ電源供給ライン１７４における寄生抵抗による負荷をなくすことができる。
【００６６】
以上の理由から、図４に示す充放電期間α１は図１８の充放電期間αよりも短くなる。従って、プリチャージ期間内にデータ信号ラインを確実にプリチャージ電位ＰＶに設定することができる。よって、高速にプリチャージを行うことが可能となる。したがって、特に高精細の液晶装置に本発明を適用することによって、高速動作が可能となる。
【００６７】
ここで図３に戻って説明すると、図３に示すデータ信号線Ｓｎの電位は、このプリチャージ動作以前に、画素Ａ（ｍ−２，ｎ）にて黒表示を行っていたとすると、黒レベル電位Ｂ１（１Ｖ）の付近となっている。その後、上述したプリチャージ動作が開始されるため、データ信号線Ｓnはプリチャージ電位ＰＶ（６Ｖ）にプリチャージされる。なお、データ信号線Ｓｎは寄生容量を有するため、プリチャージ期間が終了した後もデータ信号線Ｓｎはプリチャージ電位ＰＶを維持する。
【００６８】
さらにその後、図３の走査信号線Ｈm-1と接続された全ての画素に対し、データ信号のサンプリングが開始される。データ信号のサンプリングは、たとえばデータ信号線１１２の総数が６５２本であれば、例えば左端のデータ信号線から順に、サンプリング信号に応じてデータ信号線毎にデータ信号を順次サンプリングする点順次方式によって行われる。そして、画素Ａ（ｍ−１，ｎ）には黒を表示するため、サンプリング期間に亘ってサンプリングスイッチ１０６を介してデータ信号線Ｓnに正極性側の黒レベル電位Ｂ２（１１Ｖ）が供給される。そして、画素Ａ（ｍ−１，ｎ）における蓄積容量１１７及び液晶層１１６に電荷を充電させ、黒表示が行われる。
【００６９】
このとき、図３のタイミングチャートに示されるように、サンプリング信号の立ち上がりにてサンプリングスイッチ１０６をオンする時に、スイッチングノイズが発生し、それがデータ信号線Ｓｎに重畳される。このサンプリングスイッチ１０６のオン時に発生するスイッチングノイズは、データ信号線Ｓｎの電位を一時的に増加させる方向に作用する。
【００７０】
このように、サンプリングスイッチ１０６にｎ型トランジスタを用いると、プリチャージ電位ＰＶからデータ信号電位にデータ信号線Ｓｎを充電させるときに、スイッチングノイズはその充電を早める方向に作用する。
【００７１】
このサンプリング信号が立ち下がると、サンプリングスイッチ１０６がオフされるが、このときサンプリングスイッチ１０６のゲート−ドレイン間容量に基づく電圧降下△Ｖが生じ、図３に示すようにデータ信号線Ｓｎの電位が降下する。さらに画素においても、スイッチング素子（ＴＦＴ）１１４の寄生容量に基づく降下電圧が発生する。ただし、これらの降下電圧を見込んで対向基板に形成した共通電極に印加する共通電極電位を低くしておけば、画素の液晶層には該画素の黒表示に必要な電圧を印加できる。
【００７２】
なお、サンプリングスイッチ１０６をＣＭＯＳトランジスタ構造で構成しておけば、このような電圧降下を防止することができる。
【００７３】
その後、水平走査信号（ｍ−１）がロウとなり、水平走査信号（ｍ）がハイとなる。これにより、図２に示す走査信号線Ｈｍが選択されて、この水平走査線Ｈｍに接続された全てのスイッチング素子１１４がオンする。
【００７４】
そして、以下、走査信号線Ｈm-1と同様にしてプリチャージ動作及びデータ書き込み動作が実施される。
【００７５】
このｍ番目の水平走査期間でのデータ信号線Ｓnの電位について検討する。このデータ信号線Ｓｎの電位は、画素Ａ（ｍ−１，ｎ）にて黒表示を行なうための電位から、まずプリチャージ電位ＰＶ（６Ｖ）にプリチャージされる。この後、図３のタイミングチャートに示されるように、サンプリング信号の立ち上がりにてサンプリングスイッチ１０６をオンする時に、スイッチングノイズが発生し、それがデータ信号線Ｓｎに重畳される。このサンプリングスイッチ１０６のオン時に発生するスイッチングノイズは、データ信号線Ｓｎの電位を一時的に増加させる方向に作用し、プリチャージによってデータ信号線Ｓｎの電位を黒レベル電位Ｂ１（１Ｖ）まで放電させる方向とは逆方向に作用する。
【００７６】
従ってｍ番目の水平走査期間では、上述のスイッチングノイズが、データ信号線Ｓｎが黒レベル電位Ｂ１の電位となるように放電する動作を遅らせるように作用する。
【００７７】
ここで、プリチャージ電位ＰＶは、正極性側の白レベル電位（例えば７Ｖ），負極性側の白レベル電位（例えば５Ｖ）の範囲の電圧であるが、上記のことを考慮すると、データ振幅の中間電位（例えば６Ｖ）よりも低い電位に設定することが好ましい。従って、共通のプリチャージ電位ＰＶは例えば５．５Ｖなどに設定しても良い。
【００７８】
一方、サンプルホールドスイッチがｐ型トランジスタで形成されている場合は、プリチャージ電位ＰＶは、データ振幅の中間電位（例えば６Ｖ）よりも高い電位に設定することが好ましい。その理由について説明する。
【００７９】
この場合、サンプルホールドスイッチ１０６のゲート電圧の論理がｎ型トランジスタとは逆のときにオン状態となるため、図５に示すようにサンプリング信号によるノイズの位相も逆位相となる。したがって、データ信号ラインに及ぼすノイズの影響が、前記サンプルホールドスイッチがｎ型トランジスタであった場合とは異なる。この場合は、プリチャージ電位ＰＶを例えば６．５Ｖのように、データ振幅の中間電位（６Ｖ）よりも高い側にシフトして設定することができる。
【００８０】
つまり、図５におけるｍ−１番目の水平走査期間では、サンプリング期間の初期のタイミングで、サンプリング信号のノイズがデータ信号線Ｓｎの電位を下降させる方向に発生するため、プリチャージ電位ＰＶを予めデータ振幅の中間電位（６Ｖ）よりも高い例えば６．５Ｖとする。これにより、データ信号線Ｓｎはデータ電位まで上昇する時間が短時間で済む。
【００８１】
一方、ｍ＋１番目の水平走査期間では、同様にサンプリング信号のノイズが電圧下降方向に発生し、これはプリチャージ電位ＰＶから負極性のデータ電位に下降することを速めるように作用する。従って、プリチャージ電位ＰＶを予めデータ振幅の中間電位（６Ｖ）よりも高い例えば６．５Ｖとしても、ノイズの作用によりデータ電位までの放電時間がさほど長くならない。
【００８２】
なお、図３と異なる点として、図５に示すように、サンプリング信号が立ち上がると、ｐ型サンプリングスイッチ１０６がオフされるが、このときサンプリングスイッチ１０６のゲート−ドレイン間容量に基づく電圧上昇△Ｖが生じる。従って、図５に示すようにデータ信号線Ｓｎの電位が△Ｖだけ上昇している。なお、サンプリングスイッチ１０６がＣＭＯＳトランジスタ構造であれば、このような電圧上昇を防止できる。
【００８３】
＜実施の形態２＞
実施の形態２においては、図１，図２の液晶装置よりもさらなるプリチャージ動作の高速化を図った液晶装置について説明する。
【００８４】
図６に実施の形態２のプリチャージ回路部及び液晶パネル部の要部概略図を示す。実施の形態２の液晶装置においては、図１における複数の各プリチャージスイッチ１７２に加えて、データ信号ライン間をショートさせる複数のショート用トランジスタ（スイッチ）１７１を設けている。
【００８５】
このショート用トランジスタ１７１のソース、ドレインはそれぞれ、隣り合うデータ信号ライン１１２と接続されている。そして、ショート用トランジスタ１７１のゲートにはプリチャージ信号ＰＣが供給される。よって、全てのショート用トランジスタ１７１は、一括でかつプリチャージスイッチ１７２と同時にオン状態とされる。
【００８６】
次に、実施の形態２の液晶装置によるプリチャージ動作について説明する。
【００８７】
すなわち、図６においては、隣り合う２本のデータ信号ラインＳｎ−１，Ｓｎは、ショート用スイッチ１７１を経由するルートが最短でかつ負荷の少ない短絡経路となる。
【００８８】
従って、図２に示す実施の形態１と比較すれば、データ信号ライン間の短絡経路のインピーダンスを、トランジスタ１個分及び配線経路が短くなった負荷分だけ減らすことができる。このように、短絡経路の負荷がより低減されるため、プリチャージ期間における隣合う２本のデータ信号ラインペアでの充放電時間をより短縮できる。従って、プリチャージ動作をより高速に行うことができる。なお、図６に示すプリチャージ用スイッチ１７２はデータ信号ライン間の充放電にも寄与するが、最終的に収束するプリチャージ電位ＰＶ（例えば６Ｖ）の設定に主として寄与することになる。
【００８９】
＜実施の形態３＞
実施の形態３は、外部からプリチャージ電位ＰＶを与えずに、隣り合うデータ信号間の充放電により収束する電位をもってプリチャージ電位とする変形例である。
【００９０】
この実施の形態３では、図７に示すように隣り合うデータ信号ライン間に設けたショート用スイッチ１７１を用いている。図６に示す複数のプリチャージスイッチ１７２、プリチャージライン１７４及びプリチャージ電源は、図７では設けられていない。この場合、ショート用スイッチ１７１の数は、データ信号線の総数のほぼ半分の数で済み、図７の方式が最も簡易な構成となる。
【００９１】
この場合も図６の装置と同様に、隣り合うデータ信号ライン間は、プリチャージ期間において、ショート用スイッチ１７１を介して最短の短絡経路にてショートされる。このため、例えば高電位側のデータ信号ラインＳnにおける電位は徐々に低下し、逆に、低電位側のデータ信号ラインＳn-1は徐々に上昇し、それらの電位差を打ち消すように電位変化が起こり、それらの略中間電位に向けて収束する。そして、収束した電位にて各データ信号線がプリチャージされることになる。なお、複数のショート用スイッチ１７１を介して、全てのデータ信号ラインはショートされることになるので、プリチャージ期間の長さによっては、全データ信号ラインが同一のプリチャージ電位に収束することになる。
【００９２】
＜実施の形態４＞
上述の各実施の形態の画像表示装置を用いて構成される電子機器は、図８に示す表示情報出力源１０００、表示情報処理回路１００２、表示駆動回路１００４、液晶パネルなどの表示パネル１００６、クロック発生回路１００８及び電源回路１０１０を含んで構成される。表示情報出力源１０００は、ＲＯＭ、ＲＡＭ、などのメモリ、テレビ信号を同調して出力する同調回路などを含んで構成され、上述のタイミング回路ブロック２０に相当するクロック発生回路１００８からのクロックに基づいて、ビデオ信号などの表示情報を出力する。
【００９３】
表示情報処理回路１００２は、上述の各実施の形態のデータ処理回路ブロック３０に相当し、クロック発生回路１００８からのクロックに基づいて表示情報を処理して出力する。この表示情報処理回路１００２は、上述の増幅・極性反転回路、相展開回路、ローテーション回路等の他、ガンマ補正回路及びクランプ回路等を含むことができる。
【００９４】
駆動回路１００４は、上述の走査側駆動回路１０２、Ｘドライバ１０４及びプリチャージ駆動回路１６０、あるいはＸドライバ１０４のみを含んで構成され、液晶パネル１００６を表示駆動する。電源回路１０１０は、上述の各回路に電力を供給する。
【００９５】
このような構成の電子機器として、図９に示す液晶プロジェクタ、図１０に示すマルチメディア対応のパーソナルコンピュータ（ＰＣ）及びエンジニアリング・ワークステーション（ＥＷＳ）、図１１に示すページャ、あるいは携帯電話、ワードプロセッサ、テレビ、ビューファインダー型またはモニタ直視型のビデオテープレコーダ、電子手帳、電子卓上計算機、カーナビゲーション装置、ＰＯＳ端末、タッチパネルを備えた装置などを挙げることができる。
【００９６】
図９に示す液晶プロジェクタは、透過型液晶パネルをライトバルブとして用いた投写型プロジェクタであり、例えば、３板プリズム方式の光学系を用いている。図９において、プロジェクタ１１００では、白色光源のランプユニット１１０２から射出された投写光がライトガイド１１０４の内部で、複数のミラー１１０６及び２枚のダイクロイックミラー１１０８によってＲ、Ｇ、Ｂの３原色に分けられ、それぞれの色の画像を表示する３枚のアクティブマトリクス型液晶パネル１１１０Ｒ、１１１０Ｇ及び１１１０Ｂによって変調された光は、ダイクロイックプリズム１１１２に３方向から入射される。
【００９７】
ダイクロイックプリズム１１１２では、レッドＲ及びブルーＢの光が９０°曲げられ、グリーンＧの光が直進するので各色の画像が合成され、投写レンズ１１１４を通してスクリーンなどにカラー画像が投写される。
【００９８】
図１０に示すパーソナルコンピュータ１２００は、キーボード１２０２を備えた本体部１２０４と、液晶表示画面１２０６とを有する。
【００９９】
図１１に示すページャ１３００は、金属製フレーム１３０２内に、液晶表示基板１３０４、バックライト１３０６ａを備えたライトガイド１３０６、回路基板１３０８、第１，第２のシールド板１３１０，１３１２、２つの弾性導電体１３１４，１３１６、及びフィルムキャリアテープ１３１８を有する。２つの弾性導電体１３１４，１３１６、及びフィルムキャリアテープ１３１８は、液晶表示基板１３０４と回路基板１３０８とを接続するものである。
【０１００】
ここで、液晶表示基板１３０４は、２枚の透明基板１３０４ａ，１３０４ｂの間に液晶を封入したもので、これにより少なくとも液晶表示パネルが構成される。一方の透明基板に、図８に示す駆動回路１００４，あるいはこれに加えて表示情報処理回路１００２を形成することができる。液晶表示基板１３０４に搭載されない回路は、液晶表示基板の外付け回路とされ、回路基板１３０８に搭載できる。
【０１０１】
図１１はページャの構成を示すものであるから回路基板１３０８が必要となる。しかし、電子機器用の一部品として液晶装置が使用される場合であって、透明基板に表示駆動回路などが搭載される場合には、その液晶装置の最小単位は液晶表示基板１３０４である。あるいは、液晶表示基板１３０４を筐体としての金属フレーム１３０２に固定したものを、電子機器用の一部品である液晶装置として使用することもできる。
【０１０２】
さらに、バックライト１３０６ａを備えたライトガイド１３０６とを組み込んで、液晶装置を構成することができる。これらに代えて、図１２に示すように、液晶表示基板１３０４を構成する２枚の透明基板１３０４ａ，１３０４ｂの一方に、金属の導電膜が形成されたポリイミドテープ１３２２にＩＣチップ１３２４を実装したＴＣＰ（Ｔａｐｅ  Ｃａｒｒｉｅｒ  Ｐａｃｋａｇｅ）１３２０を接続して、電子機器用の一部品である液晶装置として使用することもできる。
【０１０３】
なお、本発明は上記実施の形態に限定されるものではなく、本発明の要旨の範囲内で種々の変形実施が可能である。例えば、本発明は上述の各種の液晶パネルの駆動に適用されるものに限らず、エレクトロルミネッセンス、プラズマディスプレー装置、ＣＲＴ等を用いた画像表示装置にも適用可能である。
【０１０４】
また、上記実施の形態においては、ＴＦＴを画素のスイッチング素子として用いた例を説明したが、スイッチング素子はＭＩＭ等の２端子素子でも良い。この場合、走査信号ラインとデータ信号ラインとの間に２端子素子と液晶セルとが直列接続されて画素が構成されるので、両信号ラインの差電圧が画素に供給される。
【０１０５】
また、上記実施例においては、ＴＦＴをスイッチング素子として用い、液晶パネルの素子が形成された基板をガラスや石英の基板としたが、これに代えて半導体基板を用いることもできる。この場合、ＴＦＴではなく、ＭＯＳトランジスタがスイッチング素子となる。
【０１０６】
さらに、本発明が適用される駆動法として、隣接するデータ信号線には所定の基準電位に対して逆極性のデータ信号が供給される駆動方式としては、図１３，図１４に示す極性反転駆動方式に限られず、垂直走査期間毎に図１９，図２０に示す極性状態が交互に設定される方式でも良い。
【０１０７】
また、以上の各実施の形態においては、隣り合うデータ信号線同士をショートさせる構成を示したが、本発明はこれに限定されるものではない。例えば、一つ前の水平走査期間において互いに異なる極性のデータ信号が供給された２本以上離れたデータ信号線同士をショートしてもよい。
【０１０８】
また、プリチャージ電位供給線も図示した１本に限定されるものではなく、互いに異なる極性のデータ信号が供給されかつショートされる１組のデータ信号線同士を複数にグループ化し、各グループ毎にプリフャージ電位をそれぞれ供給するプリチャージ電位供給線を複数並行して設けても良い。例えば（ｎ−１）本目及びｎ本目のデータ信号線同士には第１のプリチャージ電位供給線を介してプリフャージ電位を供給し、（ｎ＋１）本目及び（ｎ＋２）本目のデータ信号線同士には第２のプリチャージ電位供給線を介してプリフャージ電位を供給してもよい。
【０１０９】
【図面の簡単な説明】
【図１】本発明のアクティブマトリクス型液晶装置の概略説明図である。
【図２】図１の要部を拡大して示す回路図である。
【図３】図２に示す画素Ａ（ｍ−１，ｎ），画素Ａ（ｍ，ｎ）に接続されたデータ信号線Ｓnの電位変化を示すタイミングチャートである。
【図４】図２に示すノードａの電位変化を示すタイミングチャートである。
【図５】図２のサンプルホールドスイッチをｐ型トランジスタに変更したときの、画素Ａ（ｍ−１，ｎ），画素Ａ（ｍ，ｎ）に接続されたデータ信号線Ｓnの電位変化を示すタイミングチャートである。
【図６】図２に示すプリチャージスイッチの変形例を示す回路図である。
【図７】図２に示すプリチャージスイッチの他の変形例を示す回路図である。
【図８】本発明による液晶装置を用いて構成される電子機器の概略図である。
【図９】本発明が適用される液晶プロジェクタの概略図である。
【図１０】本発明が適用されるパーソナルコンピュータ（ＰＣ）の概略図である。
【図１１】本発明が適用されるページャの分解斜視図である。
【図１２】外付け回路を備えた液晶装置の一例を示す概略斜視図である。
【図１３】Ｎフィールドでの各画素の液晶に印加される電圧の極性を示す概略説明図である。
【図１４】Ｎ＋１フィールドでの各画素の液晶に印加される電圧の極性を示す概略説明図である。
【図１５】同一のデータ信号線に接続された２つの画素を示す概略説明図である。
【図１６】図１５に示す２つの画素に、それぞれ同じ黒データを書き込む場合のデータ信号線の電位変化を示す特性図である。
【図１７】従来の液晶装置のプリチャージ回路部及び液晶パネル部を模式的に表わした図である。
【図１８】図１７に示すノードａにおける電位変化を模式的に表わした図である。
【図１９】Ｎフィールドでの各画素の液晶に印加される電圧の極性を示す概略説明図である。
【図２０】Ｎ＋１フィールドでの各画素の液晶に印加される電圧の極性を示す概略説明図である。
【符号の説明】
１００  液晶パネル
１０２  走査側駆動回路
１０４  データ側駆動回路
１０６  サンプルホールドスイッチ
１１０  走査信号ライン
１１２  データ信号ライン
１１４  スイッチング素子
１１６  液晶セル
１７１  ショート用スイッチ
１７２  プリチャージスイッチ
１７４  プリチャージ電源供給ライン
【図１】
0003687344.tif 000002
【図２】
0003687344.tif 000003
【図３】
0003687344.tif 000004
【図４】
0003687344.tif 000005
【図５】
0003687344.tif 000006
【図６】
0003687344.tif 000007
【図７】
0003687344.tif 000008
【図８】
0003687344.tif 000009
【図９】
0003687344.tif 000010
【図１０】
0003687344.tif 000011
【図１１】
0003687344.tif 000012
【図１２】
0003687344.tif 000013
【図１３】
0003687344.tif 000014
【図１４】
0003687344.tif 000015
【図１５】
0003687344.tif 000016
【図１６】
0003687344.tif 000017
【図１７】
0003687344.tif 000018
【図１８】
0003687344.tif 000019
【図１９】
0003687344.tif 000020
【図２０】
0003687344.tif 000021